(57)【要約】      （修正有）【課題】有限スペース内における紫外線の照射量を更に増加可能であって、紫外線ランプ及び石英スリーブの交換が便利な紫外線殺菌装置を提供する。【解決手段】ハウジング１の上端にランプ台１１が螺合されており、ランプ台には紫外線ランプ２を組付け可能であり、ハウジングには紫外線ランプの周面から内層石英管３と、外層石英管４と、ステンレス管５とが順次に設けられており、内層石英管の上端面がランプ台の底端面に押付けており、螺旋ガイド台１４には水流を螺旋にガイドする貫通孔１４１が開設されており、貫通孔は螺旋ガイド台の底端に設けられた入水孔１４２と連通しており、そして外層石英管の下面は螺旋ガイド台に嵌めて位置決められており、ハウジングの底端にはカバー１５が螺合されている。【選択図】図４
0003141893.tif 000002
【実用新案登録請求の範囲】
【請求項１】
ハウジングと、紫外線ランプと、内層石英管と、外層石英管と、ステンレス管と、台座と、から構成される紫外線殺菌装置であって、
前記ハウジングの上端にランプ台が螺合されており、
前記ランプ台には紫外線ランプを組付け可能であり、
前記ハウジングには、紫外線ランプの周面から、内層石英管と、外層石英管と、ステンレス管とが順次に設けられており、
前記内層石英管の上端面がランプ台の底端面に押付けており、これにより、内層石英管と外層石英管の間に内層水道が形成されており、
外層石英管とステンレス管の間に外層水道が形成されており、
前記ハウジングの底端には下位置決め台の底端に応じて螺旋ガイド台が設けられており、
前記螺旋ガイド台には水流を螺旋にガイドする貫通孔が開設されており、
前記貫通孔は螺旋ガイド台の底端に設けられた入水孔と連通しており、
前記外層石英管の下面は前記螺旋ガイド台に嵌めて位置決められており、
前記ハウジングの底端にはカバーが螺合されており、
前記カバーの底端には前記螺旋ガイド台の入水孔が貫入されている透孔が開設されており、
前記カバーの底端の側面には排水孔が開設されており、
前記カバーの底端には台座が設けられており、
前記台座には入水口及び排水口がそれぞれ開設されており、
前記入水口は螺旋ガイド台の入水孔と連通しており、
前記排水口は前記カバーの排水孔と連通していることを特徴とする、
紫外線殺菌装置。
【請求項２】
前記紫外線ランプの数量は二つあることを特徴とする、請求項１に記載の紫外線殺菌装置。
【請求項３】
前記ハウジングの上端に設けられたランプ台の底端には、外層石英管の上面に嵌め込んで位置決められるための上位置決め台が設けられており、前記ハウジングの底部には、内層石英管の底端を押し付けて位置決められるための下位置決め台が設けられていることを特徴とする、請求項１に記載の紫外線殺菌装置。
【考案の詳細な説明】
【技術分野】
【０００１】
本考案は紫外線殺菌装置に関し、特に、有限のスペース内に紫外線の照射量を更に増加可能であり、紫外線ランプ及び石英スリーブの交換が更に便利になる紫外線殺菌装置に関するものである。
【背景技術】
【０００２】
近年、科学技術の速い進展に従って、国民の生活水準が向上する一方で、ゴミ、廃棄ガスや騒音等が多く発生している。ゴミ及び廃水は任意に廃棄され、処理されない廃棄ガスは任意に大気に放出されている。
そのため、川及び湖等の水源地が酷く汚染されている。
これにより、国民はろ過用のフィルタを使用して水道水をろ過しないと、水道水を安心に飲むことができない。
【０００３】
水道水をろ過するフィルタは、紫外線ランプを組付けることが一般であり、紫外線ランプからの紫外線により、通過している細菌や微生物などが殺菌される。
また、このような紫外線ランプは、密封されたステンレス管内に石英管が設けられており、石英管内に紫外線ランプが設けられている。
水道水は、紫外線ランプの一端の入水口から流入して、ステンレス管と石英管の間を通過して、紫外線ランプの他端の排水口から流出する。
【０００４】
前記した従来のろ過用のフィルタは次のような欠点があった。
（１）従来のものの構造によれば、水道水は、紫外線ランプの一端の入水口から流入して、紫外線ランプの他端の排水口から流出するので、紫外線ランプによる殺菌の時間の長さが紫外線ランプの長さによって決められてしまう。
そのため、水道水の紫外線ランプを通過する時間が短いと、良好な殺菌効果が得られない。
【０００５】
（２）従来のものの構造によれば、石英管及び紫外線ランプが密封されたステンレス管内に設けられているので、石英管及び紫外線ランプを定期的に交換しなければならず、石英管及び紫外線ランプの交換が不便である。
【考案の開示】
【考案が解決しようとする課題】
【０００６】
本考案の主な目的は、有限のスペース内に紫外線の照射量を更に増加可能であり、紫外線ランプ及び石英スリーブの交換が更に便利になる紫外線殺菌装置を提供することにある。
【課題を解決するための手段】
【０００７】
本願の第１考案に係る紫外線殺菌装置によると、ハウジングと、紫外線ランプと、内層石英管と、外層石英管と、ステンレス管と、台座と、から構成される紫外線殺菌装置であって、前記ハウジングの上端にランプ台が螺合されており、前記ランプ台には紫外線ランプを組付け可能であり、前記ハウジングには、紫外線ランプの周面から、内層石英管と、外層石英管と、ステンレス管とが順次に設けられており、前記内層石英管の上端面がランプ台の底端面に押付けており、これにより、内層石英管と外層石英管の間に内層水道が形成されており、外層石英管とステンレス管の間に外層水道が形成されており、また、前記ハウジングの底端には下位置決め台の底端に応じて螺旋ガイド台が設けられており、前記螺旋ガイド台には水流を螺旋にガイドする貫通孔が開設されており、前記貫通孔は螺旋ガイド台の底端に設けられた入水孔と連通しており、そして前記外層石英管の下面は前記螺旋ガイド台に嵌めて位置決められており、前記ハウジングの底端にはカバーが螺合されており、前記カバーの底端には前記螺旋ガイド台の入水孔が貫入されている透孔が開設されており、前記カバーの底端の側面には排水孔が開設されており、前記カバーの底端には台座が設けられており、前記台座には入水口及び排水口がそれぞれ開設されており、前記入水口は螺旋ガイド台の入水孔と連通しており、なお、前記排水口は前記カバーの排水孔と連通していることを特徴とする紫外線殺菌装置である。
【０００８】
本願の第２考案に係る紫外線殺菌装置によると、前記紫外線ランプの数量は二つある。
本願の第３考案に係る紫外線殺菌装置によると、前記ハウジングの上端に設けられたランプ台の底端には、外層石英管の上面に嵌め込んで位置決められるための上位置決め台が設けられており、そして前記ハウジングの底部には、内層石英管の底端を押し付けて位置決められるための下位置決め台が設けられている。
【考案の効果】
【０００９】
本考案に係る紫外線殺菌装置によれば、次のような効果がある。
（１）水道水は、まず、内層石英管と外層石英管の間に形成された内層水道を通過して、外層石英管とステンレス管の間に形成された外層水道を通過する。これにより、水道水が内層水道及び外層水道で紫外線に照射される。そのため、有限のスペース内に紫外線の照射量を更に増加することができる。
（２）ハウジングと、紫外線ランプと、内層石英管と、外層石英管と、ステンレス管と、から構成され、ハウジングの上下端にはランプ台とカバーとがそれぞれ螺合されている。これにより、ハウジング内に設けられる、紫外線ランプと、内層石英管と、外層石英管と、の交換が更に容易になる。
すなわち、ランプ台とカバーとを直接に緩めるだけで、紫外線ランプと内外層石英管とを容易に交換することができる。
【考案を実施するための最良の形態】
【００１０】
以下、本考案に係る実施の形態を図面に基づいて説明する。
まず、図１を参照する。図１は本考案に係る紫外線殺菌装置の構造を示す分解斜視図である。
本考案に係る紫外線殺菌装置は、ハウジング１と、紫外線ランプ２と、内層石英管３と、外層石英管４と、ステンレス管５と、台座６と、から構成される。
【００１１】
次に、図２乃至図４を参照する。図２は本考案の一部を分解した状態の斜視図であり、図３は本考案の組合せた状態の斜視図であり、図４は本考案の組合せた状態の断面図である。
ハウジング１の上端にランプ台１１が螺合されている。
ランプ台１１には紫外線ランプ２を組付け可能であり、ランプ台１１により電力が紫外線ランプ２に供給される。
紫外線ランプ２の数量は二つある。
ハウジング１には、紫外線ランプ２の周面から、内層石英管３と、外層石英管４と、ステンレス管５とが順次に設けられている。
内層石英管３の上端面がランプ台１１の底端面に押付けている。
ハウジング１の上端に設けられたランプ台１１の底端には、外層石英管４の上面に嵌め込んで位置決められるための上位置決め台１２が設けられている。
そしてハウジング１の底部には、内層石英管３の底端を押し付けて位置決められるための下位置決め台１３が設けられている。
これにより、内層石英管３と外層石英管４の間に内層水道７が形成される。
外層石英管４とステンレス管５の間に外層水道８が形成される。
また、ハウジング１の底端には下位置決め台１３の底端に応じて螺旋ガイド台１４が設けられている。
螺旋ガイド台１４には水流を螺旋にガイドする貫通孔１４１が開設されている。
貫通孔１４１は螺旋ガイド台１４の底端に設けられた入水孔１４２と連通している。
そして外層石英管４の下面は螺旋ガイド台１４に嵌めて位置決められている。
ハウジング１の底端にはカバー１５が螺合されている。
カバー１５の底端には螺旋ガイド台１４の入水孔１４２が貫入されている透孔１５１が開設されている。
カバー１５の底端の側面には排水孔１５２が開設されている。
カバー１５の底端には台座６が設けられている。
台座６には入水口６１及び排水口６２がそれぞれ開設されている。
入水口６１は螺旋ガイド台１４の入水孔１４２と連通している。
また、排水口６２はカバー１５の排水孔１５２と連通している。
【００１２】
次に、図５を参照しながら本考案に係る紫外線殺菌装置の使用状態を説明する。
図５は本考案の使用状態を示す斜視図である。
本考案に係る紫外線殺菌装置に、フィルタ９１と、電解槽９２とを結合すると、水をろ過することができる。
すなわち、水道水は、フィルタ９１にろ過されて電解槽９２に電解された後、台座６の入水口６１に流入して、螺旋ガイド台１４の入水孔１４２を経由して螺旋ガイド台１４の貫通孔から螺旋的な水流が発生する。
この水流は、まず、内層石英管３と外層石英管４の間に形成された内層水道を通過して、外層石英管４とステンレス管５の間に形成された外層水道を通過し、内層石英管３及び外層石英管４の透光性と、ステンレス管５の反射とにより、内層石英管３と外層石英管４とに流動している水道水が紫外線ランプ２に照射されて細菌が殺される。
その後、紫外線ランプ２に照射された水道水は、カバー１５の排水孔１５２を経由して台座６の排水口６２から排出される。
【００１３】
以上の説明は本考案の実施例の説明にすぎず、本考案はこれらの実施例に限定されるものではなく、本考案の精神を逸脱しないで当業者が適宜行なう実施例の変更、追加、または削除を施してもよいことは勿論である。
【図面の簡単な説明】
【００１４】
【図１】本考案に係る紫外線殺菌装置の構造を示す分解斜視図である。
【図２】本考案に係る紫外線殺菌装置の一部を分解した状態の斜視図である。
【図３】本考案に係る紫外線殺菌装置の組合せた状態の斜視図である。
【図４】本考案に係る紫外線殺菌装置の組合せた状態の断面図である。
【図５】本考案に係る紫外線殺菌装置の使用状態を示す斜視図である。
【符号の説明】
【００１５】
１：ハウジング、２：紫外線ランプ、３：内層石英管、４：外層石英管、５：ステンレス管、６：台座、７：内層水道、８：外層水道、１１：ランプ台、１２：上位置決め台、１３：下位置決め台、１４：螺旋ガイド台、１５：カバー、６１：入水口、６２：排水口、９１：フィルタ、９２：電解槽、１４１：貫通孔、１４２：入水孔、１５１：透孔、１５２：排水孔
【図１】
0003141893.tif 000003
【図２】
0003141893.tif 000004
【図３】
0003141893.tif 000005
【図４】
0003141893.tif 000006
【図５】
0003141893.tif 000007